(57)【要約】  【課題】  原稿サイズの誤検知を防止することができる原稿サイズ検知装置、原稿読取装置及び画像形成装置を提供すること。  【解決手段】  画像形成装置１０は、原稿のサイズを検知する原稿サイズ検知部１４を備え、原稿サイズ検知部１４は、反射型光センサ１４ａ〜１４ｄを備え、反射型光センサ１４ａ〜１４ｄは、それぞれ、原稿台１１の検知領域１に照射する光を出射する光源３１と、光源３１からの出射光３２を通過させる出射光穴３３と、出射光３２の光量を制限する光量制限部３４と、検知領域１において原稿５によって反射された反射光を通過させる反射光穴３５と、反射光穴３５を通過した通過光３６を受光する受光素子３７とを備えている。【選択図】  図３
2006251304.tif 000002
【特許請求の範囲】
【請求項１】
原稿台の予め定められた検知領域において原稿の有無を検知する原稿有無検知手段と、この原稿有無検知手段の検知結果に基づいて前記原稿のサイズを検知する原稿サイズ検知手段とを備え、前記原稿有無検知手段は、前記原稿台上に置かれた前記原稿に光を照射する光照射手段と、前記原稿からの反射光を受光する受光手段とを備え、前記光照射手段は、前記原稿に照射する光の光量を調整する光量調整部を備えたことを特徴とする原稿サイズ検知装置。
【請求項２】
原稿台の予め定められた検知領域において原稿の有無を検知する原稿有無検知手段と、この原稿有無検知手段の検知結果に基づいて前記原稿のサイズを検知する原稿サイズ検知手段とを備え、前記原稿有無検知手段は、前記原稿台上に置かれた前記原稿に光を照射する光照射手段と、前記原稿からの反射光を受光する受光手段とを備え、前記受光手段は、前記原稿からの反射光の光量を調整する光量調整部を備えたことを特徴とする原稿サイズ検知装置。
【請求項３】
前記光量調整部は、前記光量を調整する調整穴部を備えたことを特徴とする請求項１又は請求項２に記載の原稿サイズ検知装置。
【請求項４】
前記光量調整部は、前記光量を電流で制御する電流制御部を備えたことを特徴とする請求項１又は請求項２に記載の原稿サイズ検知装置。
【請求項５】
前記電流制御部は、複数の電流制限抵抗と、この電流制限抵抗を選択するスイッチとを備えたことを特徴とする請求項４に記載の原稿サイズ検知装置。
【請求項６】
前記スイッチは、電気信号で動作する電子スイッチ素子であることを特徴とする請求項５に記載の原稿サイズ検知装置。
【請求項７】
温度を検知する温度検知手段を備え、前記光量調整部は、前記温度に基づいて前記光量を調整することを特徴とする請求項１から請求項６までのいずれか１項に記載の原稿サイズ検知装置。
【請求項８】
請求項１から請求項７までのいずれか１項に記載の原稿サイズ検知装置と、前記原稿が置かれる原稿台と、前記原稿の画像を読み取る画像読取部とを備えたことを特徴とする原稿読取装置。
【請求項９】
請求項８に記載の原稿読取装置と、前記原稿の画像に基づいて画像を形成する画像形成部とを備えたことを特徴とする画像形成装置。
【発明の詳細な説明】
【技術分野】
【０００１】
本発明は、原稿サイズ検知装置、原稿読取装置及び画像形成装置に関する。
【背景技術】
【０００２】
従来の原稿サイズ検知装置は、原稿が置かれるガラス製の原稿台の下方に配置された複数の反射型光センサを備え、各反射型光センサは、それぞれ、原稿台の所定の検知領域に向けて光を出射する発光素子と、原稿があるときに原稿から反射された光を受光する受光素子とを含み、反射光の有無の組み合わせによって、原稿のサイズを検知することができるようになっている（例えば、特許文献１参照。）。
【０００３】
具体的には、図８に示すように、例えば、検知領域１〜４を原稿台上に設定し、検知領域１において原稿からの反射光があり、検知領域２、３及び４において原稿からの反射光がなければ、原稿台上に置かれた原稿はタテ置きのＢ５サイズと検知される。
【０００４】
【特許文献１】特開平１０−１０６５１号公報（第３頁、第１図、第５図）
【発明の開示】
【発明が解決しようとする課題】
【０００５】
しかしながら、従来の原稿サイズ検知装置では、原稿が原稿台上に置かれる際、原稿に添えられた操作者の手が原稿の検知領域を含む範囲内にある場合、原稿のサイズを誤検知するという問題があった。
【０００６】
例えば、図８において、Ｂ５サイズの原稿がタテに置かれた際、この原稿に添えられた操作者の手が検知領域２にある場合は、検知領域２における原稿の有無を検知する反射型光センサが操作者の手からの反射光を受光し、Ｂ５サイズがＡ４サイズと誤検知されてしまうという問題があった。
【０００７】
本発明は、このような問題を解決するためになされたものであり、原稿サイズの誤検知を防止することができる原稿サイズ検知装置、原稿読取装置及び画像形成装置を提供するものである。
【課題を解決するための手段】
【０００８】
本発明の原稿サイズ検知装置は、原稿台の予め定められた検知領域において原稿の有無を検知する原稿有無検知手段と、この原稿有無検知手段の検知結果に基づいて前記原稿のサイズを検知する原稿サイズ検知手段とを備え、前記原稿有無検知手段は、前記原稿台上に置かれた前記原稿に光を照射する光照射手段と、前記原稿からの反射光を受光する受光手段とを備え、前記光照射手段は、前記原稿に照射する光の光量を調整する光量調整部を備えた構成を有している。
【０００９】
この構成により、本発明の原稿サイズ検知装置は、原稿の検知領域において原稿は検知できるが、原稿に添えられた操作者の手は検知できない光量となるよう原稿に照射する光の光量を調整することができ、原稿サイズの誤検知を防止することができる。
【００１０】
また、本発明の原稿サイズ検知装置は、原稿台の予め定められた検知領域において原稿の有無を検知する原稿有無検知手段と、この原稿有無検知手段の検知結果に基づいて前記原稿のサイズを検知する原稿サイズ検知手段とを備え、前記原稿有無検知手段は、前記原稿台上に置かれた前記原稿に光を照射する光照射手段と、前記原稿からの反射光を受光する受光手段とを備え、前記受光手段は、前記原稿からの反射光の光量を調整する光量調整部を備えた構成を有している。
【００１１】
この構成により、本発明の原稿サイズ検知装置は、原稿の検知領域において原稿は検知できるが、原稿に添えられた操作者の手は検知できない光量となるよう原稿からの反射光の光量を調整することができ、原稿サイズの誤検知を防止することができる。
【００１２】
さらに、本発明の原稿サイズ検知装置は、前記光量調整部は、前記光量を調整する調整穴部を備えた構成を有している。
【００１３】
この構成により、本発明の原稿サイズ検知装置は、原稿の検知領域において原稿は検知できるが、原稿に添えられた操作者の手は検知できない光量となるよう、原稿に照射する光の光量又は原稿からの反射光の光量を調整穴部によって調整することができ、原稿サイズの誤検知を防止することができる。
【００１４】
さらに、本発明の原稿サイズ検知装置は、前記光量調整部は、前記光量を電流で制御する電流制御部を備えた構成を有している。
【００１５】
この構成により、本発明の原稿サイズ検知装置は、原稿の検知領域において原稿は検知できるが、原稿に添えられた操作者の手は検知できない光量となるよう、原稿に照射する光の光量又は原稿からの反射光の光量を電流制御部によって調整することができ、原稿サイズの誤検知を防止することができる。
【００１６】
さらに、本発明の原稿サイズ検知装置は、前記電流制御部は、複数の電流制限抵抗と、この電流制限抵抗を選択するスイッチとを備えた構成を有している。
【００１７】
この構成により、本発明の原稿サイズ検知装置は、原稿に照射する光の光量又は原稿からの反射光の光量を容易に調整することができる。
【００１８】
さらに、本発明の原稿サイズ検知装置は、前記スイッチは、電気信号で動作する電子スイッチ素子である構成を有している。
【００１９】
この構成により、本発明の原稿サイズ検知装置は、原稿に照射する光の光量又は原稿からの反射光の光量を容易に調整することができる。
【００２０】
さらに、本発明の原稿サイズ検知装置は、温度を検知する温度検知手段を備え、前記光量調整部は、前記温度に基づいて前記光量を調整する構成を有している。
【００２１】
この構成により、本発明の原稿サイズ検知装置は、温度検知手段が原稿に添えられた操作者の手を検知した場合、光量調整部は、原稿に添えられた操作者の手が検知できない光量となるよう、原稿に照射する光の光量又は原稿からの反射光の光量を調整することができ、原稿サイズの誤検知を防止することができる。
【００２２】
本発明の原稿読取装置は、原稿サイズ検知装置と、前記原稿が置かれる原稿台と、前記原稿の画像を読み取る画像読取部とを備えた構成を有している。
【００２３】
この構成により、本発明の原稿読取装置は、原稿の検知領域において原稿は検知するが、原稿に添えられた操作者の手は検知しない原稿サイズ検知装置を備えるので、原稿サイズの誤検知を防止することができる。
【００２４】
本発明の画像形成装置は、原稿読取装置と、前記原稿の画像に基づいて画像を形成する画像形成部とを備えた構成を有している。
【００２５】
この構成により、本発明の画像形成装置は、原稿の検知領域において原稿は検知するが、原稿に添えられた操作者の手は検知しない原稿読取装置を備えるので、原稿サイズの誤検知を防止することができる。
【発明の効果】
【００２６】
本発明は、原稿サイズの誤検知を防止することができるという効果を有する原稿サイズ検知装置、原稿読取装置及び画像形成装置を提供することができるものである。
【発明を実施するための最良の形態】
【００２７】
以下、本発明の実施の形態について図面を用いて説明する。
【００２８】
（第１の実施の形態）
まず、本発明の第１の実施の形態の画像形成装置の構成について説明する。
【００２９】
図１に示すように、本実施の形態の画像形成装置１０は、原稿のサイズを検知する原稿サイズ検知部１４と、装置全体の制御を行うメイン制御部１９と、原稿の画像を読み取る画像読取部２０と、画像を形成する画像形成部２１と、給紙を行う給紙部２２と、操作者が選択する操作コマンド及び所定のコメントを表示する操作・表示部２３とを備えている。なお、原稿サイズ検知部１４は、本発明の原稿サイズ検知装置を構成している。
【００３０】
また、図２に示すように、本実施の形態の画像形成装置１０は、例えばガラスで構成された原稿台１１と、縦方向の原稿ガイド１２と、横方向の原稿ガイド１３とを備えている。原稿５は、原稿ガイド１２と原稿ガイド１３とを基準として原稿台１１上にセットされるようになっている。なお、原稿台１１、原稿サイズ検知部１４及び画像読取部２０（図１参照。）は、本発明の原稿読取装置を構成している。
【００３１】
原稿サイズ検知部１４は、図２に示すような反射型光センサ１４ａ〜１４ｄと、図示を省略したが、ＣＰＵ、メモリ、センサ信号処理回路等を備え、原稿台１１上に置かれた原稿５の原稿サイズを検知するようになっている。すなわち、反射型光センサ１４ａ〜１４ｄは、それぞれ、検知領域１〜４において光の反射により原稿の有無を検知し、原稿サイズ検知部１４は、原稿の有無の組み合わせによって原稿のサイズを検知するようになっている。なお、反射型光センサ１４ａ〜１４ｄは、本発明の原稿有無検知手段を構成している。また、原稿サイズ検知部１４は、本発明の原稿サイズ検知手段を構成している。
【００３２】
次に、反射型光センサ１４ａの構成について、図３を用いて説明する。図３（ａ）は、明度の低い表面の原稿も検知できる（以下「高感度」という。）第１の光量で検知領域１における原稿５の有無を検知する例を示し、図３（ｂ）は、第１の光量よりも小さい第２の光量で検知領域１における原稿５の有無を検知する例を示したものである。なお、明度の低い表面の原稿としては、例えば、黒地に白抜きの文字が書かれた原稿や、写真原稿等が挙げられる。
【００３３】
反射型光センサ１４ａは、図３（ａ）及び（ｂ）に示すように、原稿台１１の検知領域１に照射する光を出射する光源３１と、光源３１からの出射光３２を通過させる出射光穴３３と、出射光３２の光量を制限する光量制限部３４と、検知領域１において原稿５によって反射された反射光を通過させる反射光穴３５と、反射光穴３５を通過した通過光３６を受光する受光素子３７とを備えている。なお、光源３１は、例えば発光ダイオードで構成され、受光素子３７は、例えばフォトダイオードで構成される。
【００３４】
光量制限部３４は、出射光穴３３の径よりも小さい径の光量制限穴３４ａを備えており、この光量制限穴３４ａの径は、検知領域１において原稿５は検知できるが、原稿５に添えられた操作者の手は検知できない（以下「低感度」という。）光量となるよう設定されている。なお、光源３１及び受光素子３７は、それぞれ、本発明の光照射手段及び受光手段を構成している。また、光量制限部３４は、本発明の光量調整部を構成している。また、光量制限穴３４ａは、本発明の調整穴部を構成している。
【００３５】
また、光量制限部３４は、図３（ａ）及び（ｂ）に示すようにスライドできる構成となっており、図３（ａ）に示された高感度側と、図３（ｂ）に示された低感度側との切り替えができるようになっている。したがって、反射型光センサ１４ａは、光量制限部３４が低感度側に設定されることにより、検知領域１において原稿５は検知するが、原稿５に添えられた操作者の手は検知しない動作をする。
【００３６】
なお、光量制限部３４を高感度側又は低感度側に切り替える手段は、例えばソレノイドを用いて電気的に切り替える構成としてもよいし、手作業で行う構成としてもよい。
【００３７】
また、反射型光センサ１４ａの構成についてのみ説明したが、反射型光センサ１４ｂ〜１４ｄも反射型光センサ１４ａと同様に構成されており、それぞれ、図２に示された検知領域２〜４において原稿５の有無を検知するようになっている。
【００３８】
次に、本実施の形態の画像形成装置１０の動作について説明する。なお、反射型光センサ１４ａ〜１４ｄの光量制限部３４は、それぞれ低感度側に設定されているものとする。
【００３９】
まず、操作・表示部２３が操作者に操作されて電源が投入され、所定のメニューが表示される。次いで、原稿サイズ検知部１４によって、原稿サイズが検知される。例えば、図２に示すように、原稿台１１上に原稿５が置かれた場合、反射型光センサ１４ａ〜１４ｄによって、原稿５の有無が検知される。
【００４０】
図２において、反射型光センサ１４ａ及び１４ｃの検知領域１及び３は、原稿５が置かれた範囲内にある。したがって、例えば反射型光センサ１４ａの光源３１から出射された光は、光量制限部３４の光量制限穴３４ａを通過して検知領域１で反射され、反射光穴３５を通って受光素子３７に到達するので、反射型光センサ１４ａは原稿５を検知する。同様に、反射型光センサ１４ｃも原稿５を検知する。
【００４１】
一方、反射型光センサ１４ｂ及び１４ｄの検知領域２及び４は、原稿５が置かれた範囲外にあり、反射光が発生しないので、反射型光センサ１４ｂ及び１４ｄは共に原稿５を検知しない。
【００４２】
前述のように、反射型光センサ１４ａ〜１４ｄが検知した原稿５の有無の組み合わせに基づいて、原稿サイズ検知部１４は、例えば次表に示すように原稿５のサイズを検知する。例えば、図２に示すように反射型光センサ１４ａ〜１４ｄが配置され、検知領域１においてのみ原稿５が検知された場合は、原稿サイズ検知部１４は、原稿５のサイズをＢ５タテサイズと検知する。
【表１】
2006251304.tif 000003
【００４３】
ここで、反射型光センサ１４ａ〜１４ｄの光量制限部３４は、それぞれ低感度側に設定されているので、原稿５に添えられた操作者の手が検知領域２又は４にある場合でも、反射型光センサ１４ｂ及び１４ｄは共に操作者の手を検知せず、原稿サイズの誤検知を防止することができる。
【００４４】
次いで、原稿サイズ検知部１４によって、検知された原稿サイズを示す信号がメイン制御部１９に送信される。さらに、画像読取部２０によって、原稿５の画像が読み取られ、この画像データがメイン制御部１９を介して画像形成部２１に送信される。
【００４５】
次いで、画像形成部２１によって、画像読取部２０が読み取った画像データに基づいて帯電、光書込み、現像等の処理により複写するための画像が形成される。そして、給紙部２２によって、給紙動作が行われ、メイン制御部１９によって、画像の転写、定着、排紙等が行われる。
【００４６】
以上のように、本実施の形態の画像形成装置１０によれば、反射型光センサ１４ａ〜１４ｄは、それぞれ、検知領域１〜４において原稿５は検知できるが、原稿５に添えられた操作者の手は検知できない光量となるよう設定する光量制限部３４を備え、原稿サイズ検知部１４は、反射型光センサ１４ａ〜１４ｄが検知した原稿５の有無の組み合わせに基づいて原稿のサイズを検知する構成としたので、原稿サイズの誤検知を防止することができる。
【００４７】
また、本実施の形態の画像形成装置１０によれば、反射型光センサ１４ａ〜１４ｄに光量制限部３４を備える簡単な構成としたので、原稿５に添えられた操作者の手を検知する専用のセンサを用いるものよりも低コスト化を図ることができる。
【００４８】
また、本実施の形態の画像形成装置１０によれば、光量制限部３４が有する光量制限穴３４ａの径を変更することにより、反射型光センサ１４ａ〜１４ｄの検知感度を所望の感度に設定することができる。
【００４９】
なお、前述の実施の形態において、光量制限部３４を光源３１側に設ける構成を例に挙げて説明したが、本発明はこれに限定されるものではなく、光量制限部３４を受光素子３７側に設け、原稿５からの反射光の光量を調整する構成としても同様の効果が得られる。
【００５０】
また、前述の実施の形態において、光量制限部３４は１つの光量制限穴３４ａを有する構成を例に挙げて説明したが、本発明はこれに限定されるものではなく、径が互いに異なる複数の穴部を有する構成としても同様の効果が得られる。
【００５１】
また、前述の実施の形態において、光量制限部３４がスライドできる構成を例に挙げて説明したが、本発明はこれに限定されるものではなく、例えば、光量制限部３４の取り付け及び取り外しができる構成や、径が互いに異なる複数の穴部を有する円盤状の板を回転して光量を設定する構成としても同様の効果が得られる。
【００５２】
（第２の実施の形態）
まず、本発明の第２の実施の形態の画像形成装置の構成について説明する。なお、本実施の形態の画像形成装置は、本発明の第１の実施の形態の画像形成装置１０に係る反射型光センサ１４ａ〜１４ｄの一部を変更したものであるので、画像形成装置１０と同様な構成については、同一の符号を付して詳細な説明を省略する。
【００５３】
図４に示すように、本実施の形態の画像形成装置に係る反射型光センサ１４ａは、原稿台１１の検知領域１に照射する光を出射する光源３１と、光源３１からの出射光３２を通過させる出射光穴３３と、検知領域１において原稿５によって反射された反射光を通過させる反射光穴３５と、反射光穴３５を通過した通過光３６を受光する受光素子３７と、光源３１が出射する光の光量を設定するジャンパスイッチ４１とを備えている。なお、反射型光センサ１４ａの構成についてのみ説明したが、反射型光センサ１４ｂ〜１４ｄも反射型光センサ１４ａと同様に構成されており、それぞれ、例えば図２に示された検知領域２〜４において原稿５の有無を検知するようになっている。
【００５４】
ジャンパスイッチ４１は、図５に示すように、光源３１に流れる電流を制限する２つの電流制限抵抗Ｒ１又はＲ２のいずれかを選択するようになっている。なお、ジャンパスイッチ４１は、本発明のスイッチを構成している。また、ジャンパスイッチ４１、電流制限抵抗Ｒ１及びＲ２は、本発明の電流制御部を構成している。
【００５５】
ジャンパスイッチ４１によって電流制限抵抗Ｒ１が選択された場合、光源３１は、明度の低い表面の原稿も検知できる第１の光量で検知領域１を照射し、反射型光センサ１４ａは、高感度側に設定される。一方、ジャンパスイッチ４１によって電流制限抵抗Ｒ２が選択された場合、光源３１は、第１の光量よりも小さい第２の光量で検知領域１を照射し、反射型光センサ１４ａは、検知領域１において原稿５は検知できるが、原稿５に添えられた操作者の手は検知できない低感度側に設定される。
【００５６】
なお、反射型光センサ１４ｂ〜１４ｄも反射型光センサ１４ａと同様に、ジャンパスイッチ４１によって電流制限抵抗Ｒ１又はＲ２のいずれかが選択され、高感度側又は低感度側に設定される。
【００５７】
以上のように、本実施の形態の画像形成装置によれば、ジャンパスイッチ４１によって光源３１の光量を設定し、反射型光センサ１４ａ〜１４ｄを高感度側又は低感度側に設定する構成としたので、検知領域１〜４において原稿５は検知できるが、原稿５に添えられた操作者の手は検知できない光量となるよう設定することができ、原稿サイズの誤検知を防止することができる。
【００５８】
また、本実施の形態の画像形成装置によれば、ジャンパスイッチ４１によって光源３１の光量を設定する構成としたので、操作者は、反射型光センサ１４ａ〜１４ｄに設定された検知感度を容易に視認することができる。
【００５９】
なお、前述の実施の形態において、ジャンパスイッチ４１によって光源３１の光量を設定する構成を例に挙げて説明したが、本発明はこれに限定されるものではなく、ジャンパスイッチ４１によって受光素子３７の受光感度を電流制限抵抗Ｒ１又はＲ２で調整する構成としても同様の効果が得られる。
【００６０】
また、前述の実施の形態において、ジャンパスイッチ４１が２つの電流制限抵抗のいずれかを選択する構成を例に挙げて説明したが、本発明はこれに限定されるものではなく、ジャンパスイッチ４１が３つ以上の電流制限抵抗のいずれかを選択する構成としても同様の効果が得られる。
【００６１】
（第３の実施の形態）
まず、本発明の第３の実施の形態の画像形成装置の構成について説明する。なお、本実施の形態の画像形成装置は、本発明の第２の実施の形態の画像形成装置に係る反射型光センサ１４ａ〜１４ｄを変更したものであるので、画像形成装置と同様な構成については、同一の符号を付して詳細な説明を省略する。
【００６２】
図６に示すように、本実施の形態の画像形成装置に係る反射型光センサ１４ａは、本発明の第２の実施の形態の画像形成装置に係るジャンパスイッチ４１に代えてアナログスイッチ４２を備えている。アナログスイッチ４２は、高感度設定スイッチ４２ａ及び低感度設定スイッチ４２ｂを含み、スイッチ切替制御回路（図示省略）からのアナログスイッチ切替制御信号によって動作するようになっている。なお、反射型光センサ１４ｂ〜１４ｄも反射型光センサ１４ａと同様に構成されており、それぞれ、例えば図２に示された検知領域２〜４において原稿５の有無を検知するようになっている。
【００６３】
アナログスイッチ４２は、光源３１に流れる電流を制限する２つの電流制限抵抗Ｒ１又はＲ２のいずれかを選択するようになっている。ここで、アナログスイッチ切替制御信号によって、電流制限抵抗Ｒ１が選択される場合は、高感度設定スイッチ４２ａがオン、低感度設定スイッチ４２ｂがオフとなり、電流制限抵抗Ｒ２が選択される場合は、高感度設定スイッチ４２ａがオフ、低感度設定スイッチ４２ｂがオンとなる。なお、アナログスイッチ４２が高感度側又は低感度側のいずれに設定されているかを例えばＬＥＤにより表示する構成としてもよい。また、アナログスイッチ４２は、本発明の電子スイッチ素子を構成している。また、アナログスイッチ４２、電流制限抵抗Ｒ１及びＲ２は、本発明の電流制御部を構成している。
【００６４】
アナログスイッチ４２によって電流制限抵抗Ｒ１が選択された場合、光源３１は、明度の低い表面の原稿も検知できる第１の光量で検知領域１を照射し、反射型光センサ１４ａは、高感度側に設定される。一方、アナログスイッチ４２によって電流制限抵抗Ｒ２が選択された場合、光源３１は、第１の光量よりも小さい第２の光量で検知領域１を照射し、反射型光センサ１４ａは、検知領域１において原稿５は検知できるが、原稿５に添えられた操作者の手は検知できない低感度側に設定される。
【００６５】
なお、反射型光センサ１４ｂ〜１４ｄも反射型光センサ１４ａと同様に、アナログスイッチ４２によって電流制限抵抗Ｒ１又はＲ２のいずれかが選択され、高感度側又は低感度側に設定される。
【００６６】
以上のように、本実施の形態の画像形成装置によれば、アナログスイッチ４２によって光源３１の光量を設定し、反射型光センサ１４ａ〜１４ｄを高感度側又は低感度側に設定する構成としたので、検知領域１〜４において原稿５は検知できるが、原稿５に添えられた操作者の手は検知できない光量となるよう設定することができ、原稿サイズの誤検知を防止することができる。
【００６７】
なお、前述の実施の形態において、アナログスイッチ４２を光源３１側に設ける構成を例に挙げて説明したが、本発明はこれに限定されるものではなく、アナログスイッチ４２を受光素子３７側に設け、受光素子３７の受光感度を電流制限抵抗Ｒ１又はＲ２で調整する構成としても同様の効果が得られる。
【００６８】
また、前述の実施の形態において、アナログスイッチ４２が２つの電流制限抵抗のいずれかを選択する構成を例に挙げて説明したが、本発明はこれに限定されるものではなく、アナログスイッチ４２が３つ以上の電流制限抵抗のいずれかを選択する構成としても同様の効果が得られる。
【００６９】
（第４の実施の形態）
まず、本発明の第４の実施の形態の画像形成装置の構成について説明する。なお、本実施の形態の画像形成装置は、本発明の第３の実施の形態に係る画像形成装置の一部の構成を変更したものなので、同様な構成については同一の符号を付して詳細な説明を省略する。
【００７０】
図７に示すように、本実施の形態の画像形成装置５０は、反射型光センサ１４ａ〜１４ｄと、温度を検知する赤外線センサ１５と、各センサの動作を制御するセンサ制御部１６と、装置全体の制御を行うメイン制御部１９と、原稿の画像を読み取る画像読取部２０と、画像を形成する画像形成部２１と、給紙を行う給紙部２２と、操作者が選択する操作コマンド及び所定のコメントを表示する操作・表示部２３とを備えている。なお、反射型光センサ１４ａ〜１４ｄ、赤外線センサ１５及びセンサ制御部１６は、本発明の原稿サイズ検知装置を構成している。
【００７１】
赤外線センサ１５は、赤外線のエネルギを電気信号に変換し、被検知物の表面温度を非接触で検知するようになっており、例えば図２に示された反射型光センサ１４ｂの近傍に設置され、原稿５に添えられた操作者の手の有無を検知するようになっている。なお、赤外線センサ１５は、本発明の温度検知手段を構成している。
【００７２】
センサ制御部１６は、ＣＰＵ、メモリ、センサ信号処理回路等を備え、反射型光センサ１４ａ〜１４ｄ及び赤外線センサ１５の動作を制御するようになっている。また、センサ制御部１６は、赤外線センサ１５によって操作者の手が検知されたとき、反射型光センサ１４ａ〜１４ｄの検知感度を低感度側に設定するようになっている。
【００７３】
次に、本実施の形態の画像形成装置５０の動作について説明する。ただし、原稿サイズの検知に関する動作についてのみ説明し、本発明の第３の実施の形態に係る画像形成装置と同様な動作についての説明は省略する。なお、反射型光センサ１４ａ〜１４ｄは、それぞれ、初期状態として高感度側に設定されているものとする。また、赤外線センサ１５は、図２における反射型光センサ１４ｂの近傍に設置されているものとする。
【００７４】
まず、センサ制御部１６によって、反射型光センサ１４ａ〜１４ｄ及び赤外線センサ１５が動作状態に設定され、原稿サイズの検知が開始される。ここで、赤外線センサ１５によって操作者の手が検知されたとき、センサ制御部１６によって、反射型光センサ１４ａ〜１４ｄのアナログスイッチ４２が高感度側から低感度側に変更される。すなわち、アナログスイッチ４２は、高感度設定スイッチ４２ａがオフ、低感度設定スイッチ４２ｂがオンの状態に設定される。
【００７５】
次いで、反射型光センサ１４ａ〜１４ｄによって、原稿５の有無が検知され、センサ制御部１６によって、原稿５の有無の検知結果の組み合わせに基づいて原稿５の原稿サイズが検知される。
【００７６】
以上のように、本実施の形態の画像形成装置によれば、センサ制御部１６は、赤外線センサ１５によって操作者の手が検知されたとき、反射型光センサ１４ａ〜１４ｄの検知感度を低感度側に設定する構成としたので、原稿サイズの誤検知を防止することができる。
【００７７】
なお、前述の実施の形態において、反射型光センサ１４ａの近傍に設置された赤外線センサ１５によって操作者の手が検知されたとき、反射型光センサ１４ａ〜１４ｄのアナログスイッチ４２が高感度側から低感度側に変更される構成を例に挙げて説明したが、本発明はこれに限定されるものではない。例えば、反射型光センサ１４ａの近傍に設置された赤外線センサ１５によって操作者の手が検知されたとき、反射型光センサ１４ａのアナログスイッチ４２のみが高感度側から低感度側に変更される構成としても同様の効果が得られる。
【産業上の利用可能性】
【００７８】
以上のように、本発明に係る原稿サイズ検知装置、原稿読取装置及び画像形成装置は、原稿サイズの誤検知を防止することができるという効果を有し、複写機やファクシミリ装置、スキャナ装置等として有用である。
【図面の簡単な説明】
【００７９】
【図１】本発明の第１の実施の形態の画像形成装置のブロック図
【図２】本発明の第１の実施の形態の画像形成装置に係る反射型光センサの配置例を示す図
【図３】（ａ）本発明の第１の実施の形態の画像形成装置に係る反射型光センサが、明度の低い表面の原稿も検知できる第１の光量で検知領域における原稿の有無を検知する例を示す図  （ｂ）本発明の第１の実施の形態の画像形成装置に係る反射型光センサが、第１の光量よりも小さい第２の光量で検知領域における原稿の有無を検知する例を示す図
【図４】本発明の第２の実施の形態の画像形成装置に係る反射型光センサの構成例を示す図
【図５】本発明の第２の実施の形態の画像形成装置に係るジャンパスイッチによる電流制限抵抗の選択例を示す図
【図６】本発明の第３の実施の形態の画像形成装置に係るアナログスイッチによる電流制限抵抗の選択例を示す図
【図７】本発明の第４の実施の形態の画像形成装置のブロック図
【図８】画像形成装置における反射型光スイッチの配置例を示す図
【符号の説明】
【００８０】
１〜４  検知領域
５  原稿
１０、５０  画像形成装置
１１  原稿台
１２、１３  原稿ガイド
１４  原稿サイズ検知部（原稿サイズ検知手段）
１４ａ〜１４ｄ  反射型光センサ（原稿有無検知手段）
１５  赤外線センサ（温度検知手段）
１６  センサ制御部
１９  メイン制御部
２０  画像読取部
２１  画像形成部
２２  給紙部
２３  操作・表示部
３１  光源（光照射手段）
３２  出射光
３３  出射光穴
３４  光量制限部
３４ａ  光量制限穴
３５  反射光穴
３６  通過光
３７  受光素子（受光手段）
４１  ジャンパスイッチ
４２  アナログスイッチ（電子スイッチ素子）
４２ａ  高感度設定スイッチ
４２ｂ  低感度設定スイッチ
【図１】
2006251304.tif 000004
【図２】
2006251304.tif 000005
【図３】
2006251304.tif 000006
【図４】
2006251304.tif 000007
【図５】
2006251304.tif 000008
【図６】
2006251304.tif 000009
【図７】
2006251304.tif 000010
【図８】
2006251304.tif 000011